(57)【要約】【課題】  従来、情報記録媒体の記録／再生装置のキー操作入力の無効（或いは禁止）期間中のユーザのキー操作に対しては何らの報知もなされず、無効とされた当該操作を実行するには、キー操作が有効になってから、再度、ユーザによるキー操作が必要なものであった。【解決手段】  ＤＶＤなどの情報記録媒体の記録／再生装置であって、キー操作入力が行われたとき、当該キー入力操作の無効（或いは禁止）期間である場合には、そのキー操作入力のキーコードに対応した動作モード項目を記憶すると共にユーザに対して報知し、前記無効（或いは禁止）期間が終了すると、前記記憶した動作モード項目に従って当該記録／再生装置を操作させる情報記録媒体の記録／再生装置。【選択図】       図２
2005276330.tif 000002
【特許請求の範囲】
【請求項１】
ＤＶＤなどの情報記録媒体の記録／再生装置であって、キー操作入力が行われたとき、当該キー入力操作の無効（或いは禁止）期間である場合には、そのキー操作入力のキーコードに対応した動作モード項目を記憶すると共にユーザに対して報知し、前記無効（或いは禁止）期間が終了すると、前記記憶した動作モード項目に従って当該記録／再生装置を操作させることを特徴とする情報記録媒体の記録／再生装置。
【請求項２】
前記キー操作入力の無効（或いは禁止）期間が、情報記録媒体の記録／再生装置側に係わるキー操作入力の無効（或いは禁止）期間であるか、あるいは情報記録媒体側に係わるキー操作入力の無効（或いは禁止）期間であるかを判別してユーザに対して報知することを特徴とする請求項１記載の情報記録媒体の記録／再生装置。
【請求項３】
前記キー入力操作の無効（或いは禁止）期間である場合には、それを適宜表示装置に表示してユーザに対して報知することを特徴とする請求項１又は請求項２記載の情報記録媒体の記録／再生装置。
【請求項４】
ＤＶＤなどの情報記録媒体の記録／再生装置の制御方法であって、キー操作入力が行われたとき、当該キー入力操作の無効（或いは禁止）期間である場合には、そのキー操作入力のキーコードに対応した動作モード項目を記憶すると共にユーザに対して報知するステップと、前記無効（或いは禁止）期間が終了すると、前記記憶した動作モード項目に従って当該記録／再生装置を操作させるステップとから成ることを特徴とする情報記録媒体の記録／再生装置の制御方法。
【発明の詳細な説明】
【技術分野】
【０００１】
本発明は、ＤＶＤなどの情報記録媒体の記録／再生装置及びその操作制御方法に関するものであリ、特に、ユーザのキー操作の無効を報知し、その後に当該キー操作で指示した操作を実行する情報記録媒体の記録／再生装置及びその操作制御方法に関する。なお、本発明において記録／再生装置とは、情報記録媒体の記録及び再生が可能な装置、或いは記録又は再生が可能な装置を言う。
【背景技術】
【０００２】
この種の情報記録媒体の記録／再生装置においては、ユーザがキー操作をした場合、その記録／再生装置の動作状態によってそのキー操作入力が有効な操作指示なのか無効な操作指示なのかを判断して、有効な動作モード項目か無効な動作モード項目かを表示して報知する方法が知られている。
【０００３】
特許文献１には、現在有効なユーザ操作を適切なタイミングでユーザに通知することができるディスク再生装置およびその制御方法を提供するものであって、ディスク再生装置は、ユーザが操作部またはリモコンの無効な操作キーを操作した場合に、現在、有効な操作キーと無効な操作キーとを判別可能なリモコン画像を再生映像に合成して表示装置に一定期間表示させるものが開示されている。
【０００４】
また、特許文献２には、再生処理種における操作の有効／無効が一目で分かり、しかも再生区間のどこで操作が有効または無効になっているかの状態も直ちに判断でき、使い勝手を著しく向上させることができる情報再生機器における再生処理可否の報知装置を提供するものであり、パソコンが接続されたＤＶＤ再生部は、パソコンからの操作指令でもってＤＶＤ再生し、全体を複合的に制御するための制御部にＤＶＤドライブが接続され、第１，第２メモリも接続され、第１メモリは、ＤＶＤを再生して得られた再生処理情報が格納され、第２メモリは、再生処理情報に基づいて、特定の再生処理が可能な再生区間データが格納され、メインモニタ部と画像モニタと音声モニタに並行して再生映像音声と種々のオン・スクリーンの表示が行われ、パソコンに接続された第３メモリは、第１，第２メモリに格納されたデータに基づき有効な再生処理の種類と無効な再生処理の種類を判定して報知するためのデータが格納されるものが開示されている。
【０００５】
また、特許文献３には、禁止されているユーザ操作が行われるようなユーザの指示に対し、再生を開始する前に指示が受け入れられない旨を知らせたり、指示の受入れを回避したりすることができるようにし、ランダム再生等の各機能の実行に際して、ユーザ操作が禁止されているユーザ機能を実行することにより生じる不都合を回避できるように、所定の記録単位ごとにユーザ操作の可否を制御する可否制御情報が記録されている記録媒体の再生において、記録媒体から、その再生を開始する前に各記録単位の可否制御情報を読み出すようにするものが開示されている。
【０００６】
【特許文献１】特開２００３−２９７０６４号公報
【特許文献２】特開２００３−４５１６３号公報
【特許文献３】特開２００２−２６９７５４号公報
【発明の開示】
【発明が解決しようとする課題】
【０００７】
従来の情報記録媒体の記録／再生装置の操作制御方法においては、このような表示をすることによって、当該キー操作がユーザの操作ミスか、記録／再生装置側の故障かなどの不安を解消することができ、無駄なキー操作入力を無くすことはできるが、キー操作可能な期間内でのユーザの無効キー操作を報知するものであるから、記録／再生装置側に係わるキー操作入力の無効（或いは禁止）期間中のユーザのキー操作に対しては何らの報知もなされず、ユーザに不安感を与えるとともに、無駄なキー操作を促してしまうなどの問題があった。また、無効とされた当該操作を実行するには、キー操作が有効になってから、再度、ユーザによるキー操作が必要なものであった。
【０００８】
本発明は、以上のような点に鑑みてなされたもので、記録／再生装置側若しくは情報記録媒体側でのキー操作入力の無効（或いは禁止）期間中は、「ディスク側でキー操作が禁止されています」としてキー操作禁止期間中であることを適宜表示し、また、無効（或いは禁止）期間中に受け付けたキー操作入力のキーコードに対応した動作モード項目をそれぞれ無効（或いは禁止）期間が終了するまで継続して表示し報知するとともに、キー操作入力の無効（或いは禁止）期間中に受け付けたキー操作入力を一時記憶させておき、キー操作入力の無効（或いは禁止）期間の終了後に、キー操作入力のキーコードに対応した動作モード項目の動作を実行させることにより、ユーザのキー操作の不安を解消し、無駄なキー操作を防止することができる情報記録媒体の記録／再生装置及びその操作制御方法を提供するものである。
【課題を解決するための手段】
【０００９】
本発明の情報記録媒体の記録／再生装置は、ＤＶＤなどの情報記録媒体の記録／再生装置であって、キー操作入力が行われたとき、当該キー入力操作の無効（或いは禁止）期間である場合には、そのキー操作入力のキーコードに対応した動作モード項目を記憶すると共にユーザに対して報知し、前記無効（或いは禁止）期間が終了すると、前記記憶した動作モード項目に従って当該記録／再生装置を操作させることを特徴とする。
【００１０】
本発明の情報記録媒体の記録／再生装置は、さらに、前記キー操作入力の無効（或いは禁止）期間が、情報記録媒体の記録／再生装置側に係わるキー操作入力の無効（或いは禁止）期間であるか、あるいは情報記録媒体側に係わるキー操作入力の無効（或いは禁止）期間であるかを判別してユーザに対して報知することを特徴とする。
【００１１】
本発明の情報記録媒体の記録／再生装置は、さらに、前記キー入力操作の無効（或いは禁止）期間である場合には、それを適宜表示装置に表示してユーザに対して報知することを特徴とすることを特徴とする。
【００１２】
本発明の情報記録媒体の記録／再生装置の制御方法は、ＤＶＤなどの情報記録媒体の記録／再生装置の制御方法であって、キー操作入力が行われたとき、当該キー入力操作の無効（或いは禁止）期間である場合には、そのキー操作入力のキーコードに対応した動作モード項目を記憶すると共にユーザに対して報知するステップと、前記無効（或いは禁止）期間が終了すると、前記記憶した動作モード項目に従って当該記録／再生装置を操作させるステップとから成ることを特徴とする。
【発明の効果】
【００１３】
本発明は以上の構成を備えることにより、キー操作入力が行われたとき、キー操作入力の無効（或いは禁止）期間中である場合に、記録／再生装置側に係わる無効（或いは禁止）期間中であるか情報記録媒体側に係わる禁止期間中であるかに拘わらず、無効（或いは禁止）期間中であることをユーザに対して報知することが可能であり、ユーザのキー操作の不安を解消し、無駄なキー操作を防止することができる。その際のユーザに対する報知は、適宜、無効（或いは禁止）期間中であるとの表示とキー操作入力のキーコードに対応した動作モード項目の表示とを、その無効（或いは禁止）期間が終了するまで報知を継続して行うことが可能である。
【００１４】
さらに、本発明は、記録／再生装置の記録／再生動作中にキー操作入力の無効（或いは禁止）期間中にキー操作入力が行われた場合でも、そのままキー操作入力を記憶しておき、その無効（或いは禁止）期間の終了後に前記キーコードに対応した動作モード項目の動作を実行することができる。さらに、その際に、キーコードに対応した動作モード項目を表示して報知するとともに、その無効（或いは禁止）期間の終了後に前記キーコードに対応した動作モード項目の動作を実行することを報知することにより、ユーザのキー操作の不安を解消し、無駄なキー操作を防止することができる。
【００１５】
さらに、本発明は、記録／再生装置の記録／再生動作中、キー操作入力の有無にかかわりなく、キー操作入力の無効（或いは禁止）期間を検出し、無効（或いは禁止）期間であることを表示して報知することにより、記録／再生動作中におけるユーザの無駄なキー操作を無くすることができる。
【発明を実施するための最良の形態】
【００１６】
以下、本発明をＤＶＤ記録／再生装置に適用した本発明の実施の形態について、図面を用いて説明する。なお、本発明は、ＤＶＤ記録／再生装置に限らず、情報記録媒体の記録／再生装置に対して適応可能なものである。なお、記録／再生とは、記録及び再生、或いは、記録又は再生の何れか一方を示すものであり、本実施例においては、単に、記録／再生と称するものである。
【００１７】
図１は、ＤＶＤ記録／再生装置のブロック図であり、リモコン送信機８によるユーザ操作によって、ＤＶＤ（ディスク）１の記録／再生動作が行われるＤＶＤ記録／再生装置の操作制御方法を説明するものである。図中、１はＤＶＤ（ディスク）、２はモニタ（表示部）、３はデータ処理部、４は映像音声処理部、５は表示処理部、６はマイコンである。
【００１８】
以下、マイコン６の内部構成を説明する。
【００１９】
キー判別処理部６２は、リモコン送信機８からリモコン受光部９を介して入力されたキー操作入力のキーコードを判別して動作処理部６３に出力するものである。
【００２０】
動作処理部６３は、キー判別処理部６２から取得したキー操作入力のキーコードに対応した動作モード項目、及びキー操作入力の現状況を動作判別部６４に出力するものである。
【００２１】
動作判別部６４は、動作処理部６３から取得したキー操作入力のキーコードに対応した動作モード項目の判別、及びキー操作入力の現状況を判断して禁止動作取得部６５に出力するものである。
【００２２】
禁止動作取得部６５は、キー記憶部６８から取得する記録／再生装置側にかかわるキー操作入力の無効（或いは禁止）項目を定めた「各動作モードにおける無効（或いは禁止）のキー遷移情報」（図５、操作制御テーブル）と、動作判別部６４から取得する「キー操作入力のキーコードに対応した動作モード項目」とを対比させて、キー操作入力の有効か無効（或いは禁止）かを判断して、記録／再生装置側にかかわるキー操作入力の無効（或いは禁止）期間のデータ情報を禁止動作処理部６７に出力するものである。
【００２３】
禁止データ取得部６６は、ＤＶＤの記録／再生動作中に、ＤＶＤ（ディスク）１に予め記憶されているナビゲーションデータやプレゼンテーションデータからＤＶＤ側に係わるキー操作入力の無効（或いは禁止）期間のデータ情報を取得するものである。
【００２４】
禁止動作処理部６７は、ＤＶＤ（ディスク）１から禁止データ取得部６６を介して取得したＤＶＤ側に係わるキー操作入力の無効（或いは禁止）期間のデータ情報と、前記禁止動作取得部６５からの記録／再生装置側に係わるキー操作入力の無効（或いは禁止）期間のデータ情報とにより、キー操作入力の有効・無効（或いは禁止）の操作制御を行うものである。
【００２５】
キー記憶部６８は、記録／再生装置に係わるキー操作入力の無効（或いは禁止）項目を定めた仕様による「各動作モードにおける無効（或いは禁止）のキー遷移情報」が記録されている制御操作テーブル（図５）を備えているもので、又、このキー記憶部６８は、制御操作テーブルのキー無効（或いは禁止）の情報取得方法として、装置の動作状態（早送り中、リピート中など）やＤＶＤ１に記憶されているナビゲーションデータなどから取得するものである。
【００２６】
ＯＳＤ表示制御部６９は、禁止動作処理部６７から取得したデータ情報により、ＤＶＤ側に係わるキー操作入力の禁止期間あるいは記録／再生装置側に係わるキー操作入力の禁止期間、キー操作入力のキーコードに対応した動作モード項目、及びキー操作入力の禁止期間の終了後に所定の動作モードの動作を実行する旨などの表示をモニタ（表示部）２に表示（図３，４）して、ユーザに報知するための表示制御を行うものである。
【００２７】
そして、制御部６１は、ＤＶＤ記録／再生装置の制御部であって、禁止動作処理部６７においてキー操作入力が有効であるとき、キー操作入力のキーコードに対応した所定の動作モードの動作を実行するための制御部である。
【００２８】
次に、マイコン６の外部の構成を説明する。
【００２９】
データ処理部３、映像音声処理部４及び表示処理部５は、通常のＤＶＤ記録／再生装置に属しているものと同様の機能を有し、同様の動作を行うものである。すなわち、データ処理部３は、ＤＶＤ（ディスク）１の記録／再生時は情報の読出，録画時は書込など、ＤＶＤ（ディスク）１の処理を行い、映像音声処理部４は、ＤＶＤ（ディスク）１の記録（録画）時、記録／再生時の映像音声信号の圧縮、伸張、解凍、Ｄ／Ａ変換、Ａ／Ｄ変換などの処理を行い、さらに、表示処理部５は、モニタ（表示部）２への映像信号、及び音声信号の各処理を行う。なお、メモリ７はＥ２ＰＲＯＭなどの不揮発性メモリで構成され、プリセットしたチャンネルデータや装置の初期値などを記憶している。又、マイコン６はマイコン６のＲＯＭ内に格納（記憶）されたプログラムによって動作制御されるものである。
【００３０】
以下、図１（ブロック図）に示したＤＶＤの記録／再生装置の記録／再生動作を、図２（フローチャート）、図３，４（モニタ表示例）、及び図５（操作制御テーブル）を用いて説明する。
【００３１】
［ステップ：Ｓ０１］ＤＶＤ記録／再生装置を記録／再生動作させる。
【００３２】
［ステップ：Ｓ０２］禁止動作処理部６７において、禁止動作取得部６５から取得した記録／再生装置側に係わる有効・無効（或いは禁止）のキー偏移情報（図５、操作制御テーブル）と、禁止データ取得部６６から取得したＤＶＤ側に係わる禁止期間データ情報とを対比することにより、キー操作入力の禁止期間（記録／再生装置側の禁止期間、あるいはＤＶＤ側の禁止期間）中かどうかの判断が行われる。
【００３３】
［ステップ：Ｓ０３］ステップＳ０２において、「ＮＯ」の場合は、ＤＶＤ記録／再生装置は前記キー操作入力のキーコードに対応した所定の動作モード項目（例えば、スキップ動作）の記録／再生動作が行われる。
【００３４】
［ステップ：Ｓ０４］ステップＳ０２において、「ＹＥＳ」の場合、ＯＳＤ表示制御部６９の表示信号によって、表示処理部５を介してモニタ（表示部）２に、記録／再生装置側に係わるキー操作入力の禁止期間中、あるいはＤＶＤ側に係わるキー操作入力の禁止期間中であることを、その禁止期間が終了するまで表示して報知する。図３は、例えば、ＤＶＤ（ディスク）１側にかかわるキー操作入力の「禁止期間中」であることを、モニタ（表示部）２に表示して報知した表示例を示すものである。
【００３５】
［ステップ：Ｓ０５］キー操作入力の上記「禁止期間中」におけるリモコン送信機８などによるキー操作入力の有無の判断を行う。ここで、「ＮＯ」である場合は、ステップＳ０４による「禁止期間中」である旨の表示が引き続き行われユーザに報知する。
【００３６】
［ステップ：Ｓ０６］ステップＳ０５において、「ＹＥＳ」の場合、すなわち、禁止期間中にキー操作入力があった場合は、現在、キー操作入力の禁止期間中であることと、受け付けた操作キー入力のキーコードに対応した所定の動作モード項目とを、禁止期間終了まで継続して表示し報知する。図４は、禁止期間中に受け付けたキー操作入力のキーコードに対応した所定の動作モード項目（例えば、スキップ制御）と、禁止期間終了後に前記動作モード項目を実行することを、モニタ（表示部）２に表示し報知した表示例である。
【００３７】
［ステップ：Ｓ０７］ステップＳ０６と同時に、キー記憶部６８に受け付けたキー操作入力のキーコードに対応した所定の動作モード項目を記憶する。
【００３８】
［ステップ：Ｓ０８］禁止動作処理部６７において、禁止データ取得部６６から取得したＤＶＤ側に係わるキー操作入力の無効（或いは禁止）期間のデータ情報と、禁止動作取得部６５から取得した記録／再生装置側に係わるキー操作入力の無効（或いは禁止）期間のデータ情報とにより、キー操作入力の「禁止期間」からその禁止期間の終了が判断される。ここで、「ＮＯ」（「禁止期間中」）の場合は、引き続き前記禁止期間の終了の判断が続行される。
【００３９】
［ステップ：Ｓ０９］ステップＳ０８において「ＹＥＳ」の場合は、ＯＳＤ表示制御部６９の出力信号によって、表示処理部６を介してモニタ（表示部）２に「禁止期間」が終了したことの表示、すなわち、「禁止期間中」の表示をＯＦＦ（消える）する。
【００４０】
［ステップ：Ｓ１０］キー操作入力の「禁止期間」が終了すると、ＤＶＤ記録／再生装置はキー記憶部６８に記憶されていた禁止期間中に受け付けたキー操作入力のキーコードに対応した所定の動作モード項目の動作が実行される。
【００４１】
本発明の実施例においては、ユーザへの報知手段としては、モニタによる表示の例のみを開示したが、この具体的手段としては、モニタによる表示に限られるものではない。例えば、別の表示手段を設けてもよいし、特定の発光手段による表示でもよい。また、無効（或いは禁止）期間であることのモニタへの表示を、その無効（或いは禁止）期間中継続して表示する例のみを説明しているが、必ずしも、その無効（或いは禁止）期間中継続して表示する必要はない。例えば、無効（或いは禁止）のキー操作入力があったと判断された場合に所定時間だけ表示することもできる。これらの変更例は発明の趣旨から外れない程度であれば当業者が容易に実施できるものである。なお、禁止期間中に他のキーを受付け、図４に示す表示を表示中には、例えば、リモコンの任意のキャンセルキーか停止キーで、一度受け付けたキーの解除もすることが可能である。
【００４２】
以上のように、本発明によれば、記録／再生装置側に係わる禁止期間においては記録／再生装置側の「禁止期間中」の表示が、情報記録媒体（ディスク）側に係わる禁止期間においては情報記録媒体（ディスク）側の「禁止期間中」の表示が、それぞれ行われ報知されるので、キー操作入力の際、キー操作のミスなのか、記録／再生装置側あるいはＤＶＤ側の「禁止期間中」なのかが容易に判断でき、ユーザのキー操作入力による不安を解消し、無駄なキー操作を防止することができる。
【００４３】
そして、記録／再生装置の所定の動作モード（例えば、記録／再生動作モード）の動作時における「禁止期間中」にキー操作が行われた場合、そのキー操作入力を受け付け、キー操作入力のキーコードに対応した操作制御項目（例えば、スキップ制御、サーチ制御など）をモニタ（表示部）に報知するとともに、禁止期間の終了後に受け付けたキー操作入力のキーコードに対応した操作制御項目を実行することを報知するので、ユーザに安心感を与えキー操作の不安を解消し、無駄なキー操作を防止することができる。
【００４４】
また、本発明の情報記録媒体の記録／再生装置の操作制御方法は、マイコンソフト処理により行うことができるので、記録／再生装置、及びリモコン送信機は、従来のままのものが使用できるので、コスト面でも有利である。
【図面の簡単な説明】
【００４５】
【図１】本発明の実施の形態であるＤＶＤ記録／再生装置のブロック図。
【図２】本発明の実施の形態であるＤＶＤ（情報記録媒体）記録／再生装置の操作制御方法を説明するフローチャート。
【図３】キー操作入力の無効（或いは禁止）期間中であることを表示した表示例。
【図４】無効（或いは禁止）期間中に受け付けたキー入力の操作制御項目を表示した表示例。
【図５】仕様による操作禁止項目（例示）の表示。
【符号の説明】
【００４６】
１  ＤＶＤ（ディスク）
２  モニタ（表示部）
３  データ処理部
４  映像音声処理部
５  表示処理部
６  マイコン（操作制御部）
７  メモリ（記憶部）
８  リモコン送信機
９  リモコン受光部
６１  制御部
６２  キー判別処理部
６３  動作処理部
６４  動作判別部
６５  禁止動作取得部
６６  禁止データ取得部
６７  禁止動作処理部
６８  キー記憶部
６９  ＯＳＤ表示制御部
【図１】
2005276330.tif 000003
【図２】
2005276330.tif 000004
【図３】
2005276330.tif 000005
【図４】
2005276330.tif 000006
【図５】
2005276330.tif 000007